(57)【要約】【課題】バッテリコネクタの配置の自由度を、電気接続性を損なうことなく向上させる。【解決手段】バッテリコネクタ１は、バッテリ４と電子機器１０の内部素子とを電気的に接続する端子１１と、端子１１の中間部を収納し、電子機器１０の一部に固定されるハウジング１２とを備える。端子１１のバッテリ４側の端部は、ハウジング１２から露出し、当該露出方向に対して略直角方向にハウジング１２の端部２１を超えるように延出する延出部１４を構成し、当該延出部１４のハウジング１２の端部２１を超える部分に、バッテリ４と接触するバッテリ接続部１５が形成されている。【選択図】図１
2012238486.tif 000002
【特許請求の範囲】
【請求項１】
バッテリと電子機器の内部素子とを電気的に接続する端子と、
前記端子の中間部を収納し、前記電子機器の一部に固定されるハウジングと、
を備え、
前記端子のバッテリ側の端部は、前記ハウジングから露出し、当該露出方向に対して略直角方向に前記ハウジングの端部を超えるように延出する延出部を構成し、
前記延出部の前記ハウジングの端部を超える部分に、前記バッテリと接触するバッテリ接続部が形成されている、
バッテリコネクタ。
【請求項２】
前記延出部の前記ハウジングの端部を超える部分には、更に、前記電子機器の所定部と係合する係合部が形成されている、
バッテリコネクタ。
【請求項３】
前記係合部と前記所定部とは、別体の係合部材により係合される、
請求項２に記載のバッテリコネクタ。
【請求項４】
前記所定部は、前記バッテリが収納されるバッテリ収納部の外壁である、
請求項２又は３に記載のバッテリコネクタ。
【請求項５】
前記バッテリ接続部は、前記バッテリと接触する複数のリーフ状部材からなる、
請求項１〜４のいずれか１項に記載のバッテリコネクタ。
【請求項６】
前記各リーフ状部材は、前記バッテリと複数の接続点を有する、
請求項５に記載のバッテリコネクタ。
【請求項７】
請求項１〜６のいずれか１項に記載のバッテリコネクタを搭載する電子機器。
【請求項８】
前記延出部が、前記電子機器の裏面側から表面側に向かって配置されている、
請求項７に記載の電子機器。
【請求項９】
前記延出部が、前記電子機器の表面側から裏面側に向かって配置されている、
請求項７に記載のバッテリコネクタを搭載する電子機器。
【発明の詳細な説明】
【技術分野】
【０００１】
本発明は、バッテリを使用する電子機器に用いられるバッテリコネクタに関する。
【背景技術】
【０００２】
携帯電話等に使用されるバッテリコネクタとして、特許文献１が開示されている。当該文献に係るコネクタは、バッテリの電極と接続する場合のように、相手方ユニットの導電部材が深い位置にある場合でも、十分な電気接続性を確保できるようにすることを課題とし、当該導電部材と接触するコンタクトを板状体から構成し、当該板状体の弾性力を利用して、導電部材と接触するコンタクト部をコネクタハウジングの接続面から突出させる構成を有するものである。
【０００３】
また、同種のコネクタとして、特許文献２〜４が開示されている。
【先行技術文献】
【特許文献】
【０００４】
【特許文献１】特開２００８−２１８０３５号公報
【特許文献２】実開平０７−０１８３６７号公報
【特許文献３】特開２００２−０７５４９５号公報
【特許文献４】特開２００３−３４６９４６号公報
【発明の概要】
【発明が解決しようとする課題】
【０００５】
図１８は、先行技術に係るバッテリコネクタ１０１の欠点を例示している。本例に係るバッテリコネクタ１０１は、携帯電話等の電子機器１１０に用いられ、バッテリ１０２の電力を基板１０３に搭載されたＩＣ等の機能回路１０４等に伝達するものである。
【０００６】
バッテリコネクタ１０１は、端子１１１及びハウジング１１２を有する。端子１１１は、弾性を有するリーフ状の導電体であり、バッテリ１０２の出力端子１０５と接触するバッテリ接続部１１５と、基板３の電極と接触する基板接続部１１６とを有する。バッテリ接続部１１５は、ハウジング１１２から露出した端子１１１が屈曲されてなる部分である。端子１１１の基板接続部１１６とは反対側の端部は、ハウジング１１２内に固定されている。バッテリ接続部１１５は、ハウジング１１２の端面１１３よりバッテリ１０２側に突出しており、端子１１１の弾性力により出力端子１０５側へ付勢されている。
【０００７】
上記のようなバッテリコネクタ１０１においては、バッテリ接続部１１５がハウジング１１２の下端部１２１から上端部１２２までの間に位置する。ここで、バッテリコネクタ１０１とバッテリ１０２との接続状態を良好にするためには、バッテリ接続部１１５が出力端子１０５の略中心に接触することが好ましい。従って、接続を良好にするためには、ハウジング１０２を出力端子１０５の中心に対峙するように固定しなければならない。そのため、バッテリコネクタ１０１の配置の自由度が小さいという問題がある。本例の場合、基板１０３の下面部にデッドスペース１２５が存在するが、上記設計上の制約から、ハウジング１０２をデッドスペース１２５に配置することができない。
【０００８】
そこで、本発明は、バッテリコネクタの配置の自由度を、電気接続性を損なうことなく向上させることを目的とする。
【課題を解決するための手段】
【０００９】
本発明の一態様は、バッテリと電子機器の内部素子とを電気的に接続する端子と、前記端子の中間部を収納し、前記電子機器の一部に固定されるハウジングとを備え、前記端子のバッテリ側の端部は、前記ハウジングから露出し、当該露出方向に対して略直角方向に前記ハウジングの端部を超えるように延出する延出部を構成し、前記延出部の前記ハウジングの端部を超える部分に、前記バッテリと接触するバッテリ接続部が形成されているバッテリコネクタである。
【００１０】
また、本発明の他の態様は、上記態様のバッテリコネクタを搭載する電子機器である。
【発明の効果】
【００１１】
本発明によれば、バッテリコネクタのハウジングをバッテリの出力端子の正面に配置しなくても、バッテリ接続部を当該出力端子の略中心に接触させることが可能となる。これにより、電気接続性を損なうことなく、基板の裏面のデッドスペース等にハウジングを配置することが可能となる。また、このように設計の自由度が向上することにより、電子機器の小型化を実現させやすくなる。
【図面の簡単な説明】
【００１２】
【図１】本発明の実施の形態１に係るバッテリコネクタを装着した電子機器の構成を示す側面図である。
【図２】実施の形態１に係るバッテリコネクタの構成を示す斜視図である。
【図３】実施の形態１に係るバッテリコネクタの構成を示す正面図である。
【図４】実施の形態１に係るバッテリコネクタの内部構造を示すIV−IV断面側面図である。
【図５】図１の状態からバッテリを離脱させた状態を示す側面図である。
【図６】図５の状態からバッテリを装着する時の様子を示す側面図である。
【図７】係合部材の構成を示す斜視図である。
【図８】係合部材の構成を示す側面図である。
【図９】係合部材の構成を示す背面図である。
【図１０】バッテリコネクタの端子が係合部材により電子機器の外壁に固定された状態を示す斜視図である。
【図１１】バッテリコネクタの端子が係合部材により電子機器の外壁に固定された状態を示す正面図である。
【図１２】バッテリコネクタの端子が係合部材により電子機器の外壁に固定された状態を示す背面図である。
【図１３】本発明の実施の形態２に係るバッテリコネクタが電子機器に装着された状態を示す斜視図である。
【図１４】本発明の実施の形態２に係るバッテリコネクタが電子機器に装着された状態を示す側面図である。
【図１５】本発明の実施の形態２に係るバッテリコネクタが電子機器に装着された状態を示す正面図である。
【図１６】図１４の状態においてバッテリを装着した状態を示している。
【図１７】本発明の実施の形態３に係るバッテリコネクタが電子機器に装着された状態を示す側面図である。
【図１８】先行技術の欠点を例示する図である。
【発明を実施するための形態】
【００１３】
実施の形態１
以下、図面を参照して本発明の実施の形態について説明する。図１は、本発明の実施の形態１に係るバッテリコネクタ１を装着した電子機器１０の構成を示す側面図である。電子機器１０は、携帯電話等であり、筺体２、基板３、バッテリ４、及びバッテリコネクタ１を有する。
【００１４】
樹脂系素材等からなる筺体２の内部には、ＩＣ等からなる機能回路７を搭載した基板３が配置されると共に、機能回路７等に電源を供給するバッテリ４を収納するバッテリ収納部５が形成されている。本実施の形態においては、基板３の上面（電子機器１０のディスプレイ等が配置される側の面）に機能回路７が配置され、基板３の下面に電極（バンプ）８が配置されている。
【００１５】
図２は、バッテリコネクタ１の構成を示す斜視図である。図３は、バッテリコネクタ１の構成を示す正面図である。図４は、バッテリコネクタ１の内部構造を示す断面側面図である。
【００１６】
バッテリコネクタ１は、端子１１及びハウジング１２を有する。端子１１は、弾性を有するアルミ等の導電体からなるリーフ（薄板）状の部材であり、バッテリ４の出力端子６と接続するバッテリ接続部１５と、基板３の電極８と接続する基板接続部１６とを有する。
【００１７】
本実施の形態においては、バッテリ接続部１５を有するリーフ状部材１４が３つ形成されている。各リーフ状部材１４は、く字状に屈曲し、当該屈曲点がバッテリ接続部１５となっている。また、図４に示すように、端子１１の中間部１７は、折り返された形状でハウジング１２の内部に収納されることにより、板ばねとしての作用を奏する。ハウジング１２は、図１に示すように、基板３の下面に固定されている。
【００１８】
端子１１のリーフ状部材１４は、図２〜図４に示すように、ハウジング１２に形成された開口部２０から露出し、当該露出方向に対して略直角方向（上方向）に、ハウジング１２の上端部２１を超えるように延出している。当該リーフ状部材１４の上端部２１を超える部分に、上記バッテリ接続部１５が形成されている。これにより、基板３の下面にハウジング１２を固定しても、バッテリ接続部１５を電子機器１０の厚さ方向の中央付近に配置することができる。
【００１９】
また、本実施の形態においては、上記リーフ状部材１４はその上端部で折り返されており、当該折り返された部分には、フランジ形状の係合部１８が形成されている。係合部１８は、図１に示すように、各リーフ状部材１４と、筺体２のバッテリ収納部５の外壁１９とを係合させるための部分である。本実施の形態においては、当該係合は、係合部材２２を用いて行われる。
【００２０】
図５は、バッテリコネクタ１が電子機器１０に装着され、バッテリ４が装着されていない状態を示している。図６は、図５の状態から、バッテリ４を装着する時の様子を示している。図６の状態から、バッテリ４をバッテリ接続部１５側へ押し込むことにより、図１の状態になる。
【００２１】
図７は、係合部材２２の構成を示す斜視図である。図８は、係合部材２２の構成を示す側面図である。図９は、係合部材２２の構成を示す背面図である。係合部材２２は、外郭部２５及び爪部２６を有する。上下に隣接する爪部２６の間には、空隙２７が形成されている。
【００２２】
図１０は、バッテリコネクタ１の端子１１が係合部材２２により電子機器１０の外壁１９に固定された状態を示す斜視図である。図１１は、同状態の正面図である。図１２は、同状態における外壁１９の背面側の状態を示している。係合時には、各空隙２７に上記各係合部１８を嵌合させると共に、各爪部２６を上記外壁１９に形成された穴（図示せず）に嵌合させる。これにより、端子１１が外壁１９に堅固に固定される。
【００２３】
上記のように、本実施の形態に係るバッテリコネクタ１によれば、ハウジング１２の上端部２１を超えて延出された端子１１の部分（リーフ状部材１４）にバッテリ接続部１５が形成されているため、ハウジング１２を基板３の下面側に固定してもバッテリ接続部１５をバッテリ４の出力端子６の略中央に配置させることができる。これにより、バッテリコネクタ１を基板３の下面に配置しても、バッテリ接続部１５が下方へ寄ってしまうことが避けられるため、バッテリ４との接続性を損なうことなく、デッドスペースを利用した設計が可能となる。また、このように設計の自由度が向上することにより、電子機器１０の小型化を実現させやすくなる。
【００２４】
また、上記係合部１８及び係合部材２２により、リーフ状部材１４の変動が抑えられ、バッテリコネクタ１の固定を確実なものとすることができる。
【００２５】
実施の形態２
図１３は、本発明の実施の形態２に係るバッテリコネクタ３１が電子機器１０に装着された状態を示す斜視図である。図１４は、同状態の側面図である。図１５は、同状態の正面図である。図１６は、図１４の状態においてバッテリ４を装着した状態を示している。
【００２６】
本実施の形態に係るバッテリコネクタ３１と上記実施の形態１に係るバッテリコネクタ１との差異は、リーフ状部材３２及びバッテリ接続部３３Ａ，３３Ｂの構成にある。本実施の形態においては、リーフ状部材３２がそれぞれ２つに分割しており、１つのリーフ状部材３２に２つのバッテリ接続部３３Ａ，３３Ｂが形成されている。１つのリーフ状部材３２に形成される２つのバッテリ接続部３３Ａ，３３Ｂは、互いに上下にずれている。
【００２７】
このような構成により、バッテリ４の出力端子６とバッテリ接続部３３Ａ，３３Ｂとの接触点が６つになると共に、図１６に示すように、当該接続点が上下にずれる。これにより、上記実施の形態１による効果に加え、バッテリ４と端子１１との電気接続性を更に向上させることができる。
【００２８】
実施の形態３
図１７は、バッテリコネクタ１が本発明の実施の形態３に係る電子機器５０に装着された状態を示す側面図である。
【００２９】
本実施の形態に係る電子機器５０は、基板３の機能回路７が電子機器５０の下面側に配置されている。また、ここで示すバッテリコネクタ１は、実施の形態１と構造的に同一のものである。このような電子機器５０においては、バッテリコネクタ１を実施の形態１の配置とは上下逆に設置すればよい。バッテリコネクタ１のハウジング１２は基板３の上面に固定され、リーフ状部材１４は下方へ延出する。これにより、上記実施の形態１と同様の効果を得ることができる。
【００３０】
尚、本発明は上記実施の形態に限られるものではなく、趣旨を逸脱しない範囲で適宜変更することが可能なものである。例えば、上記実施の形態においては、電子機器として携帯電話が例示されているが、本発明に係るバッテリコネクタがバッテリを使用する各種電子機器に適用可能なものであることは明らかである。また、上記いずれの実施の形態においても、端子１１の上端部（折り返し部）近傍を外壁１９に係合するための係合部１８及び係合部材２２が含まれているが、当該係合に係る構成がない場合であっても、電子機器の小型化等を実現することは可能である。
【符号の説明】
【００３１】
１，３１  バッテリコネクタ
２  筺体
３  基板
４  バッテリ
５  バッテリ収納部
６  出力端子
７  機能回路
８  電極
１０，５０  電子機器
１１  端子
１２  ハウジング
１４，３２  リーフ状部材
１５，３３Ａ，３３Ｂ  バッテリ接続部
１６  基板接続部
１７  中間部
１８  係合部
１９  外壁
２０  開口部
２１  上端部
２２  係合部材
２５  外郭部
２６  爪部
２７  空隙
【図１】
2012238486.tif 000003
【図２】
2012238486.tif 000004
【図３】
2012238486.tif 000005
【図４】
2012238486.tif 000006
【図５】
2012238486.tif 000007
【図６】
2012238486.tif 000008
【図７】
2012238486.tif 000009
【図８】
2012238486.tif 000010
【図９】
2012238486.tif 000011
【図１０】
2012238486.tif 000012
【図１１】
2012238486.tif 000013
【図１２】
2012238486.tif 000014
【図１３】
2012238486.tif 000015
【図１４】
2012238486.tif 000016
【図１５】
2012238486.tif 000017
【図１６】
2012238486.tif 000018
【図１７】
2012238486.tif 000019
【図１８】
2012238486.tif 000020